(57)【要約】      （修正有）【課題】  ＰＴＰ包装体の容器用シートを蓋材側に押し込んで蓋材の一部を破断させ収容物を１つ１つ取り出す機能を維持しながら、ＰＴＰ包装体の容器用シートから蓋材シートを剥がすことで複数の収容物を取り出す機能を付加し、使用者が取り出し方を選択できるＰＴＰ包装体を提供する。【解決手段】  医薬製剤を収容するための収容部が２つ以上形成された容器用シートとその収容部に蓋をする蓋材シートからなるＰＴＰ包装体において（１）蓋材シートが、剥離用シートとアルミシートの積層体であり、（２）蓋材シートの剥離用シート側が容器用シートと積層されており、（３）剥離用シートは容器用シートの収容部と対応する部位が、穴抜きされている構造をし、蓋材シートの剥離用つかみ代として、容器用シートと剥離用シートの間に無接着処理部分を設けるか、容器用シートの一部をカットして蓋材シートの剥離用つかみ代とするためスリットを容器用シートに設ける。【選択図】図１
2006347625.tif 000002
【特許請求の範囲】
【請求項１】
医薬製剤を収容するための収容部が２つ以上形成された容器用シートと、当該収容部の蓋材シートからなるＰＴＰ包装体において、
（１）蓋材シートが、容器用シートから剥離可能な剥離用シートとアルミシートとの積層体であり、
（２）蓋材シートの剥離用シート側に容器用シートが積層されており、
（３）剥離用シートは、容器用シートの収容部と対応する部位が穴抜きされている、ことを特徴とするＰＴＰ包装体。
【請求項２】
容器用シートと剥離用シートの間に、蓋材シートの剥離用つかみ代として無接着処理部分を有する請求項１記載のＰＴＰ包装体。
【請求項３】
容器用シートの一部をカットし、蓋材シートの剥離用つかみ代とするためのスリットを容器用シートに有する請求項１記載のＰＴＰ包装体。
【発明の詳細な説明】
【技術分野】
【０００１】本発明は錠剤やカプセル剤などの医薬品の包装体であるＰＴＰ（Ｐｒｅｓｓ  Ｔｈｒｏｕｇｈ  Ｐａｃｋａｇｅ）包装体に関する。
【背景技術】
【０００２】従来の錠剤やカプセル剤などの医薬品の包装には、ＰＴＰ包装体が多用されている。収容物を収容する容器用シートと収容部を封止する、アルミシートの蓋材から構成され、容器用シートを蓋材側に押し込んで蓋材の一部を破断させ収容物を１つ１つ取り出すものが主流である。【０００３】現在使用されているＰＴＰ包装体は収容物を取り出さずに包装体のまま飲み込んでしまう事故を防止するため、ＰＴＰ包装体の切り離し線（スリットまたはミシン目）を縦方向または横方向にだけ入れ、切り離した際に２つ以上の収容部がつながった細長い短冊状になるように工夫されている。【０００４】また、ＰＴＰ包装体の蓋材としてはアルミシートが多用され、容器用シートとしては、ポリ塩化ビニル（ＰＶＣ）、ポリプロピレン（ＰＰ）、ポリエチレン（ＰＥ）、ポリエチレンテレフタラート（ＰＥＴ）などが用いられている。アルミシートと容器用シートは、分別ゴミとして処理されることが望ましいが、解決方法は見出されていない。
【発明の開示】
【発明が解決しようとする課題】
【０００５】しかしながら、以上の技術によれば、ＰＴＰ包装体の容器用シートの収容物収容部を蓋材側に押し込んで収容物を取り出す際、一度に複数の収容物を取り出す使用者の場合、ＰＴＰ包装体の容器用シートの収容物収容部を蓋材側に複数回押し込む必要があり手間と時間を要するだけでなく、指が容器用シートから圧迫をうけ、痛くなることがあるため収容物を１つ１つ押し出して取り出す方法だけでは、不便であった。【０００６】そこで、この発明は、ＰＴＰ包装体の容器用シートの収容物収容部を蓋材側に押し込んで蓋材のアルミシートの一部を破断させて収容物を１つ１つ取り出す機能を維持しながら、ＰＴＰ包装体の容器用シートから蓋材シートを剥がすことで複数の収容物を取り出す機能を付加し、使用者が利便性の高い収容物の取り出し方を選択できるＰＴＰ包装体を提供することを課題とする。
【課題を解決するための手段】
【０００７】以上の課題を解決するために請求項１の発明は医薬製剤を収容するための収容部が２つ以上形成された容器用シートと当該収容部の蓋材シートからなるＰＴＰ包装体において、
（１）蓋材シートが、容器用シートから剥離可能な剥離用シートとアルミシートの積層体であり、
（２）蓋材シートの剥離用シート側に容器用シートが積層されており、
（３）剥離用シートは、容器用シートの収容部と対応する部位が穴抜きされている、ことを特徴とするＰＴＰ包装体である。【０００８】請求項２の発明は、容器用シートと剥離用シートの間に、蓋材シートの剥離用つかみ代として無接着処理部分を有する請求項１記載のＰＴＰ包装体である。【０００９】請求項３の発明は、容器用シートの一部をカットし、蓋材シートの剥離用つかみ代とするためのスリットを容器用シートに有する請求項１記載ＰＴＰ包装体である。
【発明の効果】
【００１０】本発明ＰＴＰ包装体によれば、蓋材シートが、容器用シートから剥離可能な剥離用シートとアルミシートとの積層体であり、蓋材シートの剥離用シート側に容器用シートが積層されている。剥離用シートは、容器用シートの収容物収容部と対応する部位が穴抜きされているので、ＰＴＰ包装体の容器用シートの収容物収容部を蓋材側に押し込んで蓋材のアルミシートの一部を破断させて収容物を１つ１つ取り出すことが出来る上に、収容部が２つ以上連続した本発明ＰＴＰ包装体の蓋材シートの剥離用つかみ代を掴んで容器用シートから蓋材シートを剥がし取ることで複数の収容物を取り出すことができるので使用者はＰＴＰ包装体から収容物を取り出す際に利便性の高い収容物の取り出し方を選択することが出来る。【００１１】よって、本発明ＰＴＰ包装体の使用者が患者の場合は、患者個々の錠剤やカプセルなどの使用数量に応じて利便性の高い収容物の取り出し方ができる。【００１２】なお使用者が薬剤師の場合においては、例えば錠剤の一包化調剤（錠剤を取り出し一回分ごとに袋詰めする）において蓋材シートの剥離用つかみ代を掴んで容器用シートから蓋材シートを剥がし取ることで複数の収容物を取り出すことができるので収容物を１つ１つ押し出して取り出す手間がはぶけ、調剤に要する時間の短縮ができるので患者の待ち時間が短縮できる。また、複数の収容物を押し出す際に指が容器用シートから圧迫をうけ、痛くなることがなくなるといった効果がある。【００１３】なおＰＴＰ包装体の容器用シートの錠剤やカプセルなどの収容部を蓋材側に押し込んで収容物を取り出す際に、指先に押し出す力が入りにくい高齢者や障害者などの場合においては、例えば本発明ＰＴＰ包装体の蓋材シートの剥離用つかみ代を大きくして掴みやすくすることで、容器用シートからの蓋材シートの剥がし取りが容易にできるようになり、錠剤やカプセルなどが取り出しやすくなるといった効果がある。【００１４】なお、本発明ＰＴＰ包装体において剥離用シートを薄くした場合は、剥離用シートとアルミシートからなる蓋材シートと、容器用シートとを分別し廃棄することができるといった効果がある。
【発明を実施するための最良の形態】
【００１５】図１に、本発明ＰＴＰ包装体の一実施例の断面構造を示す。
錠剤４０の収容部１１を形成した容器用シート１０と、錠剤４０の収容部１１の蓋材シート５０からなるＰＴＰ包装体において、
（１）蓋材シート５０が、容器用シート１０から剥離可能な剥離用シート２０とアルミシート３０の積層体であり、
（２）蓋材シート５０の剥離用シート２０側に容器用シート１０が積層されており、
（３）剥離用シート２０は、容器用シート１０の錠剤４０の収容部１１と対応する部位が穴抜きされており、
容器用シート１０と剥離用シート２０とアルミシート３０をヒートシールすることで錠剤４０の収容部１１に蓋をする構造のＰＴＰ包装体である。
容器用シート１０と剥離用シート２０との間に無接着処理部分１２を設けることで、容器用シート１０から蓋材シート５０を剥がし取るための剥離用つかみ代２１が形成されている。【００１６】上記ＰＴＰ包装体において、錠剤４０を取り出す際には、容器用シート１０の錠剤４０の収容部１１をアルミシート３０側に押し込んでアルミシート３０の一部を破断させて錠剤４０を取り出すか、剥離用つかみ代２１を掴んで剥離用シート２０とアルミシート３０とで構成される蓋材シート５０を容器用シート１０から、剥がし取ることで錠剤４０を取り出すことが出来る。【００１７】図２は本発明ＰＴＰ包装体の一実施例で、収容部の上から包装体を見た図である。図３は図２のＡ１−Ａ２線で切断した場合の断面図である。
本発明ＰＴＰ包装体では、必要に応じて容器用シート１０と剥離用シート２０との間に無接着処理部分１２を設けることで、容器用シート１０から蓋材シート５０を剥がし取るための剥離用つかみ代２１を形成することができる。容器用シート１０、剥離用シート２０は、ＰＴＰ包装体の切り離し線（スリットまたはミシン目）がなく連続した構造になっているので、蓋材シート５０の容器用シート１０からの一度の剥離作業で複数の錠剤４０の取り出しが可能である。【００１８】図４は、図２のＰＴＰ包装体をＢ１−Ｂ２線で切断した断面図である。本発明のＰＴＰ包装体に切り離し線をスリットで形成する場合は、図４のように容器用シート１０から剥離用シート２０の中央部に達するスリット６０をいれることによって切り離しが可能である。【００１９】図５は、剥離用つかみ代２１をスリット７０によって形成した場合に図２のＡ１−Ａ２線で切断した一実施例の断面図である。容器用シート１０にスリット７０をいれ、図６に示すように容器用シート１０のみをカットし、容器用シート１０から蓋材シート５０を剥がし取るための剥離用つかみ代２１を形成することができる。【００２０】容器用シートは材料として、ＰＶＣ、ＰＰ、ＰＥ、ＰＥＴなどを使用することができる。その他、容器用シートは金属箔の容器、合成樹脂と金属箔とのラミネート容器であっても良い。これらの材料を用い、熱間真空成形、熱間圧空成形、プラグアシスト成形などにより医薬品等の収容部を成形する。【００２１】剥離用シートは材料として、ＰＶＣ、ＰＰ、ＰＥ、ＰＥＴなどを使用することができる。積層時に容器用シートの収容部と対応する部位を穴抜きしたシート状に成形する。【００２２】アルミシートは材料として、アルミを使用することができる。
また、アルミの代用として防湿加工などを施した紙などを使用することもできる。【００２３】本発明のＰＴＰ包装体は、前記のようにして製造した容器用シートの収納部に錠剤やカプセル剤などを充填したあと、ヒートシール装置で容器用シートと剥離用シートとアルミシートをシールすることにより製造することができる。【００２４】本発明のＰＴＰ包装体の、容器用シートと剥離用シートとアルミシートのシール方法は、容器用シートの収容物収容部を蓋材側に押し込んで蓋材のアルミシートの一部を破断させて収容物を１つ１つ取り出す際、各シール面において不用意な剥離が起こらない状態が維持できる限りは特に制限されない。
【図面の簡単な説明】
【００２５】
【図１】  本発明ＰＴＰ包装体の断面図。
【図２】  本発明ＰＴＰ包装体を上から見た図（正面図）。
【図３】  〔図２〕のＡ１−Ａ２線で切断した場合の断面図。無接着処理部分を設けることで剥離用つかみ代が形成された場合
【図４】  〔図２〕のＢ１−Ｂ２線で切断した断面図。
【図５】  〔図２〕のＡ１−Ａ２線で切断した場合の断面図。容器用シートにスリットを設けることで剥離用つかみ代が形成された場合
【図６】  〔図５〕のスリットを利用して剥離用つかみ代を形成し、蓋材シートを容器用シートから剥がしている状態の断面図。
【符号の説明】
【００２６】１０  容器用シート
１１  収容部
１２  無接着処理部分
２０  剥離用シート
２１  剥離用つかみ代
３０  アルミシート
４０  錠剤
５０  蓋材シート
６０  切り離し線（スリット）
７０  容器用シートのみをカットし剥離用つかみ代を形成するためのスリット
【図１】
2006347625.tif 000003
【図２】
2006347625.tif 000004
【図３】
2006347625.tif 000005
【図４】
2006347625.tif 000006
【図５】
2006347625.tif 000007
【図６】
2006347625.tif 000008